(57)【要約】      （修正有）【課題】二重構造の蓋付きタンブラーに関して、二重構造内部に封入されているシート体の交換可能と不可能を同一構造タンブラーで実施可能であり、シート体を透明板で耐水封入し蓋体に固定可能な蓋付きタンブラーを提供する。【解決手段】二重容器間隙空間底部に、両容器に円筒状嵌合締め付けネジ部を設け、内側容器底に円周帯状連続突起を設ける。本体外側容器円筒内部にロック部品５を装着し、内側容器２を右回転で締め付け後はロック部品５の機能で左回転は不可能となり二重構造間隙内に封入したシート体の取り出しは不可能となる。ロック部品５未装着の場合は、内側容器２は左回転可能でシート体の取り出しは可能である。しかしその際多くの当該シート体のメッセージは廃棄される。その事態を補完する為に、蓋体に透明樹脂板に封入されたメッセージシート板を取り付け、当該シート体とシート板は交換不可であり固定取り外し不可とする事を特徴とする。【選択図】図１
0003213499.tif 000002
【実用新案登録請求の範囲】
【請求項１】
二重構造の内外容器間隙にシート体を封入可能で、内外容器相互ネジ締め込み方法で組み立てる飲料水用タンブラーに関し、同一構造のタンブラーにおいて、内外容器間隙空間に本考案ロック部品（５）を組み込まずにタンブラーを組み立てた場合には、内側容器（２）を本体外側容器（１）よりの取り外しが可能であるが、ロック部品（５）を組み込みタンブラーを組み立てた場合には、内側容器（２）を本体外側容器（１）より取り出す事を不可能とする事が出来るロック部品（５）と、ロック部品（５）と組み合わせ、前述機能を発揮する事が可能な構造を備えた本体外側容器（１）内側容器（２）を特徴とする蓋付きタンブラー。
【請求項２】
本考案タンブラー蓋体において、クリヤーカバーＡ（６）とクリヤーカバーＢ（７）の２枚の嵌合縁周部を超音波溶着する事で、台紙小（１２）の取り出し交換不可能と洗浄水、飲料水の浸水から保護し、当該クリヤーカバー超音波溶着板を本考案タンブラー蓋体に嵌め込み固定可能な事を特徴とする請求項１の蓋付きタンブラー。
【考案の詳細な説明】
【考案の詳細な説明】
【技術分野】
【０００１】本考案は、本体外側容器と内側容器との二重構造本体間隙に、台紙例えば写真、イラスト、企業イメージ等などの印刷物シート体を挟み込みとその交換を可能とし、更に蓋体にもシート体装着可能とする、タンブラー本体と蓋体に関するものである。
【背景技術】
【０００２】従来より本体外側容器と内側容器との間隙に台紙等を挟み込んだタンブラーは提供されている。  更に、タンブラーへ飲み物を注ぐ本体容器上辺縁周にて嵌合する蓋体を備え、携帯用に供するタンブラーも各種提供されている。【０００３】当該タンブラーは主に飲み物を入れる為の容器で有る為、タンブラー内面、付属の蓋体、飲み口等を、使用する毎に清潔を保つ為にも洗浄する必要が有る。
その為に、当該タンブラーを水洗浄又は、洗剤を含んだ水にて洗浄する必要があり、その際、本体外側容器と内側容器との間隙に挟み込む台紙等が、嵌合圧着部分よりの洗浄水の浸み込みで濡れる場合が有る。この洗浄水の浸入を防ぐ為に、本体外側容器と内側容器の嵌合部分を超音波溶着で完全に密閉されたタンブラーは広く提供されている。
また、超音波溶着に替えて、本体外側容器と内側容器の上部嵌合部分近傍に相互にネジを切り、互いにネジ込み締め付ける事で密閉性を確保する構造のタンブラーも又提供されている。
【先行技術文献】
【特許文献】
【０００４】
【特許文献１】特開２０１３−１８４７３８号公報
【特許文献２】実用新案登録第３１５９９７４号公報
【考案の概要】
【考案が解決しようとする課題】
【０００５】これには次の様な欠点があった。
既に提供されている従来の本体容器部分が二重構造のタンブラーでは、本体外側容器と内側容器との間隙に挟み込む台紙等を濡らさない為には、本体外側容器と内側容器との嵌合部分を完全密着密閉し防水する為に、多くの場合当該嵌合部分を超音波溶着し密閉性を保っている。
その為に、当該容器間隙に挟み込まれた台紙等は、使用者に於いては入手時に当該容器間隙に挟み込まれた台紙等を、任意に自分の好みの写真、イラスト等などに交換する事は不可能であった。【０００６】本体外側容器と内側容器との嵌合部分の密着密閉化には、実用的には超音波溶着が広く実施されて来たが、当該タンブラー嵌合部分の密閉化のもう一方法は、タンブラー本体容器部飲み口側上辺部近傍で且つ嵌合部分近傍にネジを切り、内側容器を本体外側容器にネジ込み、Ｏリングパッキング等を嵌合接合部分に挟み、ネジの締め込みにて圧迫密閉する方法も有る。
この場合には、台紙を交換する事は可能である。【０００７】しかし、使用者のねじ込み締め付け程度の個人差や、嵌合方法も間違い易く、全ての個人交換作業で完全密閉させる事は困難であり、本体容器洗浄時に台紙部分に洗浄水が浸み込む事が多々有った。
多くの台紙は紙製であり、一旦台紙が濡れてしまうと、例え乾燥しても元の状態には戻り難く、外観的にも使用に耐えない状態になってしまう。【０００８】従来の多くのタンブラーは、本体外側容器と内側容器の嵌合部分の密閉には、嵌合部分の密閉性の確実さとコスト面より超音波溶着方法が採用されている。
本方法では、挟み込む台紙の超音波溶着作業は流れ作業で行い、作業効率面と経済性より同一台紙封入のタンブラーを連続で数多く作業する事が求められる。
超音波溶着作業の都度台紙を変更する事は、更にコスト面より現実的ではない。【０００９】それ故に、過去よりタンブラー入手者は、入手時のデザインや写真を見飽きたり、特定の企業名、商品名が表記されている事もあり、好みではない事も多く使われなくなる場合も多かった。
そして、当該タンブラーの台紙を、例えば自分好みの写真、イラスト等などへ台紙交換し、楽しみながら自分だけのオリジナルタンブラーを作り使いたいと言う根強い潜在的な要望が以前より多々あった。【００１０】タンブラー入手者の個々個人の台紙交換要望に対応する為には、本体外側容器と内側容器との嵌合部分、即ち飲み口部分に近い容器本体上部近傍にネジを切り、本体外側容器と内側容器とを脱着可能とし、台紙交換可能としたタンブラーは提供されている。【００１１】一般的に当該対象タンブラーは従来より主に、企業の顧客に対する贈答品、各種行事の記念品としてのギフト商材、また観光地のお土産記念品として使われる事が多い。
しかし、当該タンブラーの台紙を交換可能にした場合、タンブラー本体面の台紙をタンブラー入手者が交換してしまうと、提供側企業の最大目的は、企業名、商品名の知名度向上、ＰＲ効果の期待であるが、企業名、商品名等などが表示された台紙が交換可能とする事は、企業の目論見であるＰＲ効果と相反してしまう。【００１２】当該タンブラー類は、ギフト商材として無料で配布される事も多く、その場合には通常入手時は提供元のイラスト、企業名、商品名等などが表示された台紙が封入されている。
当該台紙を入手者が入手当初の台紙を他の台紙に交換してしまうと、ギフト商材としての本来の目的、役割を果たす事は出来ない。
本考案は、この様な欠点を解決する為になされたものである。
【課題を解決するための手段】
【００１３】本考案は、前述問題点を解消する為になされたものであり、当該二重構造タンブラーの本体外側容器と内側容器の密閉性を保持する為の手段としての構成について説明する。
当該二重容器の密閉性の確保には、従来は前述の如く飲み口に近いタンブラー容器本体の上辺周近傍の本体外側容器と内側容器との嵌合部分に、容器成形時に超音波溶着可能構造を設け、超音波融着作業を行うとほぼ完全な防水構造となるが、反面当該二重容器タンブラーの間隙への台紙交換は不可能である。
本考案は、超音波溶着作業を実施する事なく、また前述の台紙交換可能とされるネジ込み締め付け密閉方式の防水性の不確実性をなくす事と、例え本体容器台紙を交換されても、本来のギフト商材としての機能を補完する機能を備える為に、以下の構成とした。【００１４】従来のネジ締め付け密閉方式のタンブラーでは、本体外側容器に内側容器を取り付ける際に、嵌合締め付け用のネジ切り位置は、構造上本体容器飲み口側最上周辺部分に各々設けられなければならない。その為にネジ半径が最大になる部位にネジを切る事になる。
そして、内側容器を本体外側容器に対して、また当該ネジ切り溝に対して、水平位置で回転させ、ネジ込み締め付け作業は水平位置を保ちながら、水平に内側容器を回転させ、内外容器のネジ溝嵌合開始位置を合わせ、継続して水平位置を確保しながら回転締め付けを行い完了しなくてはならない。そしてネジ切り半径が大きいと、ネジ込み開始時にネジ山とネジ溝の嵌合がずれると、そのまま回転ねじ込んだ場合には、ネジ材質の特性もありネジ自体を破損する場合も多々あった。
このネジ切り半径が大きい事は、前述の如く内側容器の水平回転維持させる事を難しくしている。【００１５】この作業を容易にさせる為には、内側容器の水平回転維持が大きく関わるが、内外ネジ嵌合開始位置を容易に合わすには、ネジピッチを大きく取る事と、ネジ切り巾を大きく取る事が要求される。以上の結果として、Ｏリングパッキン全体に均一に締め付けなければならない事に対して、特にピッチが大きい事は締め付けの不均等が発生し易くなり、水の浸み込み原因となり易い。【００１６】本考案のタンブラーは、本体外側容器底面内側と内側容器底面外側に各々円筒状突起を設け、嵌合締め付け用ネジ切り位置を、本体外側容器底面内側円筒突起内面側に、内側容器底面外側円筒突起外面側とし、ネジピッチを可能な程度で小さくした。【００１７】本体外側容器（１）と内側容器（２）との間隙の防水は、内側容器最上周辺部に図１に示す逆凹型のＯリングシリコーンパッキン受け溝部を設け、Ｏリングシリコーンパッキン（１０）を装着する。当該Ｏリングシリコーンパッキン（１０）を前述の内容器底面外側円筒突起外面に設けられたネジを、本体外側容器底面内側円筒突起内面に同じく設けられたネジへ、内側容器（２）を右回転させながらネジ込み、内側容器（２）を本体外側容器（１）に対して押し下げ、結果として本体外側容器飲み口側最上縁部を、Ｏリングシリコーンパッキン（１０）を介して下方より押上る事で、強く均一に嵌合させ、圧着密閉を図る。【００１８】本考案タンブラーは、蓋体（３）に、クリヤーカバーＡ（６）、クリヤーカバーＢ（７）を別途準備し、前述２枚のクリヤーカバーが嵌合時には、台紙封入可能な間隙を設け、当該間隙に小台紙（１２）例えば写真、イラスト、企業イメージ等のシート体を挿入可能とした。【００１９】本考案タンブラーの蓋体（３）にクリヤーカバー挿入受け部を設け、クリヤーカバーＡ（６）に小台紙（１２）を載せ、クリヤーカバーＢ（７）を嵌合させて、封入される台紙を水から守る為に、クリヤーカバー縁周部を超音波溶着作業で完全封入をし、蓋体（３）のクリヤーカバー受け部に挿入嵌合させ固定する。【００２０】当該タンブラー類は、ギフト商材として利用される事が多く、前述の如く通常はタンブラー側面円周に封入された本体台紙には、提供企業の企業名、商品名等などが表記されている。タンブラー入手者が、当該台紙を所有者好みの台紙に交換してしまうと、提供企業の目的、役割を果たす事は出来ない。【００２１】本考案は、提供企業は殆どの場合、タンブラー側面円周の本体台紙を交換されない事を要望している。その場合の対応として、別途準備したロック部品（５）を、タンブラー組立作業時に組み込み使用する事で、内側容器を本体外側容器から取り外し不可能になり、タンブラー側面円周の本体台紙を取り外し交換する事も不可能になる。
本考案は、以上の構成よりなる蓋付きタンブラーである。
【考案の効果】
【００２２】本考案の蓋付きタンブラーは、例えば観光地で土産物として購入した所有者が、入手後に自分好みの台紙に交換しようと思った時には、簡単にまた確実に交換する事が出来る為、個人所有の写真やイラストデザイン等などに交換し、より長く楽しめるタンブラーとなった。【００２３】また本考案タンブラーをギフト商材としての提供企業は、提供時にはタンブラー側面円周に提供企業の企業名、商品名等が表示された台紙大（１１）が封入されているが、台紙大（１１）が交換可能では、本タンブラーは提供企業の目論見を果たす事は出来ない。
しかし、タンブラー使用者は飲み口カバー（４）を開閉する都度、蓋体に取り付けられたクリヤーカバーに封じ込められた台紙小（１２）を見る事となり、提供企業の目的、役割りに沿う事となり、タンブラーの提供を受けた個人も、台紙大（１１）を交換する事により、見た目にも楽しいタンブラーを長く使う事となった。
タンブラー提供企業は、台紙小（１２）を固定確保する事で、台紙大（１１）が交換可能か否かの選択を出来る事となり、各提供企業の企業ＰＲに対する考え方を反映する事が可能となった。
【図面の簡単な説明】
【００２４】
【図１】本考案タンブラーの中央部縦断面図
【図２】蓋体平面図
【図３】Ａ−Ａ線内側容器片側断面図
【図４】内側容器部分底面図
【図５】本体外側容器平面図
【図６】クリヤーカバーを受け部から取り外した蓋体の上方よりの斜視図
【図７】蓋体下方よりの斜視図
【図８】クリヤーカバーＢ（７）の下方よりの斜視図
【図９】クリヤーカバーＡ（６）の上方よりの斜視図
【図１０】ロック部品の上方よりの斜視図
【図１１】ロック部品の下方よりの斜視図
【図１２】ロック部品平面図
【図１３】内側容器平面図
【考案を実施するための形態】
【００２５】以下、本考案の実施の形態について説明する。
台紙大（１１）を、本考案タンブラーを洗浄時の水の浸入から保護する為に、台紙交換後には、本体外側容器（１）と内側容器（２）とが正しく勘合させ、ネジを締め込む事が要求される。
本考案のタンブラーは、ネジに因る嵌合締め付け位置をタンブラー本体底部へ移動する事で、本体外側容器内壁面が、内側容器ネジが本体外側容器ネジとの噛み合わせ時のガイド機能を果たし、容器下部の締め付けネジ嵌合を、相互にネジ嵌合開始位置のネジ同士の水平位置での噛み合わせ嵌合を容易にする。
【００２６】具体的には本体外側容器底面内側と内側容器底面外側に各々円筒状突起を設ける。嵌合締め付け用ネジ切り位置は、本体外側容器底面内側円筒突起内面側に、内側容器底面外側円筒突起外面側とし、Ｏリングシリコーンパッキン（１０）にリングパッキン全体に均等に締め付け嵌合が行われる様に、ネジ傾斜を水平近くにする為にネジピッチを可能な程度で小さくする。
【００２７】本体外側容器と内側容器との間隙の防水は、内側容器最上周辺部に図１に示す逆凹型のＯリングシリコーンパッキン（１０）の受け溝部を設け、Ｏリングシリコーンパッキン（１０）を装着する。当該Ｏリングシリコーンパッキン（１０）を前述の内容器底面外側円筒突起外面に設けられたネジを本体外側容器底面内側円筒突起内面に同じく設けられたネジへ回転させながらネジ込み、内側容器（２）を本体外側容器（１）に対して押し下げ、本体外側容器飲み口側最上縁部を、Ｏリングシリコーンパッキン（１０）を介して下方より押上る事で、強く均一に嵌合圧着密閉させる。
【００２８】本考案タンブラーは蓋体（３）を設けてあり、飲料水を注ぐ場合には、蓋体（３）を左廻りに約４５度回転させ内側容器最上部内側近傍に備えられた本体への嵌合固定用突起（１６）を、蓋体下部円周面に備え付けられた溝（２５）から外し、蓋体（３）全体を取り外す。
飲料水の注ぎ完了後は前述手順と逆に、蓋体下部円周面に備え付けられた溝（２５）に、蓋体（３）を本体への嵌合固定用突起（１６）を嵌合させ、右廻りに回転させ止まる位置まで締め込む。
【００２９】本タンブラーが横倒しになった場合の内容物飲料水のモレ防止対策として、Ｏリングシリコーンパッキング（９）が蓋体（３）に装着されていて、前述の蓋体（３）を右廻りの締め込み時に、蓋体（３）全体を本体容器側に押し下げ、当該Ｏリングシリコーンパッキン（９）で内容物飲料水が外部に漏れる事を防止する。
【００３０】内部に蓄えた飲料水を飲む場合、蓋体（３）に備えられた飲み口カバー（４）を蓋体円周側手前より持ち上げる。飲用時に飲み口カバー（４）が飲用者の鼻に当たらない様にする為、飲み口穴（１５）より約１８０度付近で飲み口カバー（４）が軽く固定される機能を持つ。
飲み終わると、逆手順で飲み口カバー（４）を蓋体（３）に戻す。その際液体飲料水が飲み口穴（１５）や空気抜き孔（１４）から漏れ出す事を防止する為に、飲み口用シリコーンパッキング（８）が装着されている。飲料水漏れ防止の為に飲み口カバー（４）は下方へ押し込む事が必要である。
【００３１】クリヤーカバーＡ（６）、クリヤーカバーＢ（７）を別途準備し、前述２枚のクリヤーカバーを嵌合した場合には台紙封入可能な間隙を設ける事が出来る。
当該間隙に台紙小（１２）、例えば写真、イラスト、企業イメージ等のシート体を台紙大（１１）と同様に挿入可能とした。
本考案タンブラーの蓋体（３）において、飲み口カバー（４）の反対側蓋体半面に半円状のクリヤーカバー挿入受け部を設け、クリヤーカバーＡ（６）に台紙小（１２）を載せ、クリヤーカバーＢ（６）を嵌合させて、封入される台紙を水から保護する為に、超音波溶着用に成型されたクリヤーカバー縁周部を超音波溶着作業で台紙小（１２）を完全封入し、当該一体化クリヤーカバーを蓋体（３）のクリヤーカバー挿入受け部に嵌合させ固定する。
超音波溶着で一体化されたクリヤーカバーは、蓋体（３）のクリヤーカバー挿入受け部に一旦押し込むと、一体化されたクリヤーカバーは蓋体（３）から取り出す事は不可能であり、因って台紙小（１２）の交換は不可能である。
【００３２】当該タンブラー類はギフト商材として利用される事が多く、前述の如く通常はタンブラー側面円周に封入された台紙には、提供企業の企業名、商品名等が表記されている。
入手者が当該台紙を所有者好みの台紙に交換してしまうと、提供企業の目的、役割を果たす事は出来ない。
本考案は、提供企業がタンブラー側面円周の台紙大（１１）を交換されない事を希望する場合には、別途準備したロック部品（５）をタンブラー組立作業時に組み込む事で、内側容器（２）を本体外側容器（１）から取り外す事が不可能になり、タンブラー側面円周の台紙を取り外し交換する事が不可能になる。
【００３３】本体外側容器（１）と内側容器（２）の間隙空間底部に於いて、本体外側容器内側底面の底面中心部に円柱突起回転軸（２０）と複数箇所の方形板状突起（２１）を設ける。
内側容器（２）を本体外側容器（１）に固定する為のロック部品（５）は、図１０図１１図１２に示す形状である。本考案タンブラーの組立方法は、先ず本体外側容器（１）にロック部品（５）円柱回転軸（２０）のロック部品に於ける軸受け凹部（２２）に、本体外側容器底部円筒内部の底面円中心部に設けた円柱突起回転軸（２０）を嵌合させ、またロック部品（５）の下部円筒部分に設けた方形板状突起の噛み合わせ用凹部（２４）を、本体外側容器内側底面に備えた方形板状突起（２１）に噛み合わせ装着後、本体底部の締め付けネジを使い通常通りの組立を行う。
【００３４】ロック部品（５）の機能は、図４に示す内側容器底面円筒部内部に当該底面円中心より放射線上に刻まれた円周帯状連続突起（１７）の凹凸部分において、刻まれた凹部一方の壁は垂直、他方は４５度の傾斜で並行並列交互に設けられており、ロック部品（５）円板状面に備わる複数箇所のロック部品円板部円周部の切れ込み（２６）で円周部を板バネ状に形成し、当該板バネの先端に突起（２３）を備えた形状で、通常の組立作業時に右回りに内側容器（２）を廻すと、板バネ先端の突起（２３）が内側容器底部の円周帯状連続突起（１７）凹部分の４５度の傾斜面を滑り内側容器（２）は回転する事が出来、ネジの締め込みも可能である。しかし内側容器（１）を取り外す逆回転の場合、板バネ先端の突起（２３）が円周帯状連続突起（１７）の垂直壁に当たり、突起が滑り通過する事は出来ない。因って内側容器（２）を本体外側容器（１）から取り外す事が出来ず、台紙大（１１）の交換が不可能となる。
【００３５】本考案の蓋付きタンブラーの材質は、形状加工の容易さ、材質の特性、また経済性より本体外側容器（１）、内側容器（２）、クリヤーカバーＡ（６）、クリヤーカバーＢ（７）は、合成樹脂であるＡＳ樹脂、ＰＳ樹脂、アクリル樹脂等などの各種透明合成樹脂が使用可能であるが、ＡＳ樹脂が望ましい。蓋体（３）、飲み口カバー（４）、ロック部品（５）は、ＰＰ樹脂、ＡＢＳ樹脂等などの各種合成樹脂等などを使用する事が可能であるが、ＰＰ樹脂が望ましい。各種パッキングは、各種合成樹脂エラストマーも使用可能ではあるが、耐久性、耐薬品性よりシリコーン製が望ましい。
本考案は、以上の構成よりなる蓋付きタンブラーである。
【符号の説明】
【００３６】  １    本体外側容器
２    内側容器
３    蓋体
４    飲み口カバー
５    ロック部品
６    クリヤーカバーＡ
７    クリヤーカバーＢ
８    飲み口、空気抜き用シリコーンパッキン
９    蓋体用Ｏリングシリコーンパッキン
１０  本体容器用Ｏリングシリコーンパッキン
１１  台紙大
１２  台紙小
１３  容器本体底部すべり止め
１４  空気抜き孔
１５  飲み口穴
１６  蓋体を本体への嵌合固定用突起
１７  円周帯状連続突起
１８  本体外側容器底面内側円筒突起内面ネジ
１９  内側容器底面外側円筒突起外面ネジ
２０  本体外側容器底面内側に設けられた底面中心部の円柱突起回転軸
２１  本体外側容器底面内側に設けられた方形板状突起
２２  円柱突起回転軸（２０）のロック部品の於ける軸受け凹部
２３  ロック部品板バネ先端突起
２４  方形板状突起（２１）の噛み合わせ凹部
２５  蓋体（３）下部円周面に備え付けられた溝
２６  ロック部品の円板部円周部からの切れ込み
【図１】
0003213499.tif 000003
【図２】
0003213499.tif 000004
【図３】
0003213499.tif 000005
【図４】
0003213499.tif 000006
【図５】
0003213499.tif 000007
【図６】
0003213499.tif 000008
【図７】
0003213499.tif 000009
【図８】
0003213499.tif 000010
【図９】
0003213499.tif 000011
【図１０】
0003213499.tif 000012
【図１１】
0003213499.tif 000013
【図１２】
0003213499.tif 000014
【図１３】
0003213499.tif 000015
【手続補正書】
【提出日】平成29年4月17日(2017.4.17)
【手続補正１】
【補正対象書類名】実用新案登録請求の範囲
【補正対象項目名】全文
【補正方法】変更
【補正の内容】
【実用新案登録請求の範囲】
【請求項１】
二重構造の内外容器間隙側面円筒部にシート体を封入可能で、内外容器間隙底部に設けた相互ネジによる締め込み方式で組み立てる飲料水用蓋付きタンブラーに関し、同一構造のタンブラーにおいて、一方は内外容器間隙空間底部にロック部品（５）を組み込まずにタンブラーを組み立てた場合には、組立後に於いて、組立逆手順を取る事により内側容器（２）を本体外側容器（１）よりの取り外しが可能であるが、他方ロック部品（５）を図１で示す位置に組み込み、タンブラーを組み立てた場合には、本体外側容器底面内側に設けられた方形板状突起（２１）にロック部品（５）の噛み合わせ凹部（２４）が噛み合わされる事によりロック部品（５）の水平方向回転が固定され、内側容器（２）を本体外側容器（１）に挿入する組み立て時には、内側容器（２）底部に設けた円周帯状連続突起（１７）がロック部品板バネ先端突起（２３）に当たるが、組立時の内側容器（２）右回転の場合には、ロック部品板バネ先端突起（２３）は、円周帯状連続突起（１７）上を滑り抵抗なく組立ネジ締め込みが可能であるが、組立後に内側容器（２）を取り外すべく左回転させる場合には、ロック部品板バネ先端突起（２３）が円周帯状連続突起（１７）の凸部垂直壁に当たり内側容器（２）を回転させる事が出来ず、因って組立ネジを緩める事が不可能となり、内側容器（２）を本体外側容器（１）より取り出し不可能とする当該ロック部品（５）と、前述機能を発揮させる為の円周帯状連続突起（１７）構造を備えた内側容器（２）と、方形板状突起構造を備えた本体外側容器（１）より構成された事を特徴とする蓋付きタンブラー。
【請求項２】
前記タンブラー蓋体において、クリヤーカバーＡ（６）とクリヤーカバーＢ（７）の２枚の嵌合縁周部を超音波溶着する事で、台紙小（１２）の取り出し交換不可能と洗浄水、飲料水の浸水から保護し、当該クリヤーカバー超音波溶着板をタンブラー蓋体に嵌め込み固定可能な事を特徴とする請求項１の蓋付きタンブラー。
【手続補正書】
【提出日】平成29年6月12日(2017.6.12)
【手続補正１】
【補正対象書類名】実用新案登録請求の範囲
【補正対象項目名】全文
【補正方法】変更
【補正の内容】
【実用新案登録請求の範囲】
【請求項１】
二重構造の内外容器間隙側面円筒部にシート体を封入可能で、内外容器間隙底部に設けた相互ネジによる締め込み方式で組み立てる飲料水用蓋付きタンブラーに関し、同一構造のタンブラーにおいて、一方は内外容器間隙空間底部にロック部品（５）を組み込まずにタンブラーを組み立てた場合には、組立後に於いて、組立逆手順を取る事により内側容器（２）を本体外側容器（１）よりの取り外しが可能であるが、他方ロック部品（５）を図１で示す内外容器間隙空間底部に組み込み、タンブラーを組み立てた場合には、本体外側容器底面内側に設けられた方形板状突起（２１）にロック部品（５）の噛み合わせ凹部（２４）が噛み合わされる事によりロック部品（５）の水平方向回転が固定され、内側容器（２）を本体外側容器（１）に挿入する組み立て時には、内側容器（２）底部に設けた円周帯状連続突起（１７）がロック部品板バネ先端突起（２３）に当たるが、組立時の内側容器（２）右回転の場合には、ロック部品板バネ先端突起（２３）は、円周帯状連続突起（１７）上を滑り抵抗なく組立ネジ締め込みが可能であるが、組立後に内側容器（２）を取り外すべく左回転させる場合には、ロック部品板バネ先端突起（２３）が円周帯状連続突起（１７）の凸部垂直壁に当たり内側容器（２）を回転させる事が出来ず、因って組立ネジを緩める事が不可能となり、内側容器（２）を本体外側容器（１）より取り出し不可能とする当該ロック部品（５）と、前述機能を発揮させる為の円周帯状連続突起（１７）構造を備えた内側容器（２）と、方形板状突起構造を備えた本体外側容器（１）より構成された事を特徴とする蓋付きタンブラー。
【請求項２】
前記タンブラー蓋体において、クリヤーカバーＡ（６）とクリヤーカバーＢ（７）の２枚の嵌合縁周部を超音波溶着する事で、台紙小（１２）の取り出し交換不可能と洗浄水、飲料水の浸水から保護し、当該クリヤーカバー超音波溶着板をタンブラー蓋体に嵌め込み固定可能な事を特徴とする請求項１の蓋付きタンブラー。
【手続補正書】
【提出日】平成29年8月1日(2017.8.1)
【手続補正１】
【補正対象書類名】実用新案登録請求の範囲
【補正対象項目名】全文
【補正方法】変更
【補正の内容】
【実用新案登録請求の範囲】
【請求項１】
二重構造の内外容器間隙側面円筒部にシート体を封入可能で、内外容器間隙底部に設けた相互ネジによる締め込み方式で組み立てる飲料水用蓋付きタンブラーに関し、同一構造のタンブラーにおいて、一方は内外容器間隙空間底部にロック部品（５）を組み込まずにタンブラーを組み立てた場合には、組立後に於いて、組立逆手順を取る事により内側容器（２）を本体外側容器（１）よりの取り外しが可能であるが、他方ロック部品（５）を内外容器間隙空間底部に組み込み、タンブラーを組み立てた場合には、本体外側容器底面内側に設けられた方形板状突起（２１）にロック部品（５）の噛み合わせ凹部（２４）が噛み合わされる事により、ロック部品（５）の水平方向回転が固定され、内側容器（２）を本体外側容器（１）に挿入する組み立て時には、内側容器（２）底部に設けた円周帯状連続突起（１７）がロック部品板バネ先端突起（２３）に当たるが、組立時の内側容器（２）右回転の場合には、ロック部品板バネ先端突起（２３）は、円周帯状連続突起（１７）上を滑り抵抗なく組立ネジ締め込みが可能であるが、組立後に内側容器（２）を取り外すべく左回転させる場合には、ロック部品板バネ先端突起（２３）が円周帯状連続突起（１７）の凸部垂直壁に当たり内側容器（２）を回転させる事が出来ず、因って組立ネジを緩める事が不可能となり、内側容器（２）を本体外側容器（１）より取り出し不可能とする当該ロック部品（５）と、前述機能を発揮させる為の円周帯状連続突起（１７）構造を備えた内側容器（２）と、方形板状突起構造を備えた本体外側容器（１）より構成された事を特徴とする蓋付きタンブラー。
【請求項２】
前記タンブラー蓋体において、クリヤーカバーＡ（６）とクリヤーカバーＢ（７）の２枚の嵌合縁周部を超音波溶着する事で、台紙小（１２）の取り出し交換不可能と洗浄水、飲料水の浸水から保護し、当該クリヤーカバー超音波溶着板をタンブラー蓋体に嵌め込み固定可能な事を特徴とする請求項１の蓋付きタンブラー。